(57)【特許請求の範囲】
【請求項１】
半導体発光素子を有する発光部が、長手方向に沿って上面側に配列された基板と、
前記基板の上面側に設けられ、前記発光部を覆うと共に発光部からの光を反射する反射部を内面に有するリフレクタ部材と、
前記基板と前記リフレクタ部材とを上下から支持するように設けられたケース部材と、を備え、
前記リフレクタ部材は、前記基板の光取り出し方向側の前側端縁に係合する係合爪を有し、
前記基板の長手方向の両端から外方へ突設された基板把持端部と、前記ケース部材の長手方向の両端から外方へ突設され、前記基板把持部と重ね合うケース把持端部と、前記基板把持端部と前記ケース把持端部とを重ね合わせた状態で把持して回転可能に保持されるホルダー部材とを備えていることを特徴とする照明ユニット。
【請求項２】
前記ケース部材は、前記リフレクタ部材の背面を支持する上端縁と、前記上端縁に連設され、前記基板の下面を支持する底面とから構成されていることを特徴とする請求項１に記載の照明ユニット。
【請求項３】
前記ケース部材の上端縁は、前記基板の長手方向に沿って形成された係合条溝部を有し、
前記リフレクタ部材の背面は、前記係合条溝部と係合される係合突条部を有していることを特徴とする請求項２に記載の照明ユニット。
【請求項４】
前記ケース部材の底面は、前記基板の短手方向に沿って基板支持リブを有していることを特徴とする請求項２または請求項３に記載の照明ユニット。
【請求項５】
前記基板の光取り出し方向側の前側端縁に係合する下係合部と、前記リフレクタ部材の光取り出し方向側の前側端縁に係合する上係合部とを備えるカバー部材が、前記基板と前記リフレクタ部材の光取り出し方向側の前面開口部に装着されたことを特徴とする請求項１〜請求項４のいずれか１項に記載の照明ユニット。
【発明の詳細な説明】
【技術分野】
【０００１】
本発明は、半導体発光素子を光源として用いた照明ユニットに関し、例えば、ショーケース等の陳列棚に展示された物品の照明に用いられる照明ユニットに関するものである。
【背景技術】
【０００２】
従来、ショーケース等の陳列棚に陳列された物品の照明に用いられる照明用光源として、蛍光灯が使用されている（特許文献１等参照）。この照明用光源は、ショーケース等に陳列された各種の商品を照明し、その商品の商品価値を示す上で、重要な役割を有するものである。また、ショーケース等に限らず、例えば、一般照明（室内灯、デスクライト等）、看板照明、壁面照明、歩道灯等においても、照明用光源として蛍光灯が使用されている。
【０００３】
一方、近年、蛍光灯の替わりとなる照明用ユニットとして、発光ダイオードなどの半導体発光素子を光源として用いたライン状の照明ユニットが提案されている。例えば、基板の長手方向に沿って実装された複数個のＬＥＤ（発光ダイオード）チップと、このＬＥＤチップ全体を一体的に覆うように形成された略半円柱状、または、かまぼこ形状の透明樹脂部と、を備えた照明ユニットが提案されている（特許文献１）。この発光ダイオードなどの半導体発光素子は、蛍光灯に比べて寿命が長い、エネルギ効率が高いため低消費電力である、固体素子であるため取り扱いが容易かつ破損し難い、水銀等の環境影響物質を含まない、ＬＥＤ正面（半球）のみに光を発する点光源とみなせることから光学的制御が容易であり、灯具としたときの光利用効率を高めることができるなどの多くの利点がある。そのため、この半導体発光素子を光源とする照明用ユニットは、交換期間の長期化、取り扱いの容易さ等によるメンテナンスコスト、ランニングコストの低減を図ることができる。
【特許文献１】特開２００３−１６８３０号公報
【特許文献２】特開２００２−２９９６９７号公報
【発明の開示】
【発明が解決しようとする課題】
【０００４】
しかし、従来の照明ユニットは、構成部品の結合や取り付けに際して、ネジ等の固定用部品を用いているため、取り付け作業の煩雑さ、さらに、組立後、長期間の使用中における各構成部品の取り付け強度の低下、また、振動等によるネジの欠落等の問題があるため、半導体発光素子を光源とする照明ユニットの長寿命、低消費電力、固体素子であるため取り扱いが容易かつ破損し難い、光利用効率の向上等のメリットを十分に生かせるものではなかった。
【０００５】
そこで、本発明は、ネジ等の固定用部品を用いることなく、簡便かつ容易に、緊密に構成部品を組み立てることが可能で、しかも、組立後は、長期間に亘って構成部品の取り付け強度を維持することができ、ショーケース等の照明用光源として有用な照明ユニットを提供することにある。
【課題を解決するための手段】
【０００６】
前記課題を解決するため、本発明の照明ユニットは、半導体発光素子を有する発光部が、長手方向に沿って上面側に配列された基板と、前記基板の上面側に設けられ、前記発光部を覆うと共に発光部からの光を反射する反射部を内面に有するリフレクタ部材と、前記基板と前記リフレクタ部材とを上下から支持するように設けられたケース部材と、を備え、前記リフレクタ部材は、前記基板の光取り出し方向側の前側端縁に係合する係合爪を有し、前記基板の長手方向の両端から外方へ突設された基板把持端部と、前記ケース部材の長手方向の両端から外方へ突設され、前記基板把持部と重ね合うケース把持端部と、前記基板把持端部と前記ケース把持端部とを重ね合わせた状態で把持して回転可能に保持されるホルダー部材とを備えていることを特徴とする。
【０００８】
また、前記ケース部材は、前記リフレクタ部材の背面を支持する上端縁と、前記上端縁に連設され、前記基板の下面を支持する底面とから構成されていることが好ましい。
【０００９】
さらに、前記ケース部材の上端縁は、前記基板の長手方向に沿って形成された係合条溝部を有し、前記リフレクタの背面は、前記係合条溝部と係合される係合突条部を有していることが好ましい。
【００１０】
前記ケース部材の底面は、前記基板の短手方向に沿って基板支持リブを有していることが好ましい。
【００１２】
また、前記基板の光取り出し方向側の前側端縁に係合する下係合部と、前記リフレクタ部材の光取り出し方向側の前側端縁に係合する上係合部とを備えるカバー部材が、前記基板と前記リフレクタ部材の光取り出し方向側の前面開口部に装着されていることが好ましい。
【発明の効果】
【００１３】
本発明の照明ユニットは、半導体発光素子を搭載した基板、光を反射する反射部を有するリフレクタ部材、およびケース部材、さらにはカバー部材を、ネジ等の固定用部品を用いることなく、簡便かつ容易に、緊密に組立てることが可能で、しかも、各構成部材を相互に結合させることによって、組立後は、長期間に亘って構成部品の取り付け強度を維持することができる。そのため、本発明の照明ユニットは、ショーケース、一般照明（室内灯、デスクライト等）、看板照明、壁面照明、歩道灯等の照明用光源として有用である。
【発明を実施するための最良の形態】
【００１４】
以下、本発明の照明ユニットについて、図面を用いて説明する。
図１は、本発明の照明ユニットの構成を示す分解斜視図、図２は、リフレクタ部材の背面側を示す斜視図、図３は、ケース部材を示す斜視図、図４（ａ）〜（ｄ）は、本発明の照明ユニットの組立工程を説明する図、図５（ａ）は、本発明の照明ユニットの一部を示す斜視図、図５（ｂ）は、本発明の照明ユニットの組立状態を説明する模式断面図、図５図６（ａ）は、本発明の照明ユニットを取り付けたショーケースを示す斜視図、図６（ｂ）は、そのショーケースにおける照明光の配光状態を示す模式図である。
【００１５】
図１に示す照明ユニット１は、基板２と、リフレクタ部材３と、ケース部材４と、カバー部材５Ａ，５Ｂと、ホルダー部材６Ａ１，６Ａ２，６Ｂ１，６Ｂ２と、ブラケット７Ａ，７Ｂとを備える。
【００１６】
基板２は、回路基板２１と、放熱基板２２とで構成される。回路基板２１には、長手方向に延長された矩形状に形成され、上面側に、半導体発光素子２３ａを含む複数の発光部２３が長手方向に配列されている。この回路基板２１には、上面の発光部２３および下面に、半導体発光素子２３ａを発光させるために配線および配線パターン（図示せず）が設けられ、さらに、トランジスタ、抵抗、ツェナーダイオード等の半導体発光素子２３ａの発光のために用いられる各種素子が搭載されている。
この回路基板２１としては、熱伝導性の高い材料を用いることが好ましく、ガラスエポキシ基板やアルミ基板が好適に用いられる。
【００１７】
放熱基板２２は、例えば、アルミニウムや銅、鉄、ステンレスなどの熱伝導率の高い金属材料により構成されている。また、放熱基板２２の形状は板状のみならず、フィンを下面側に有するヒートシンク形状などの各種の形状とすることができる。
この放熱基板２２の長手方向の両端には、放熱基板２２の長手方向の外側に向けて拡径する形状（逆テーパ状）を有する基板把持端部２２ａ，２２ｂが両端から外方へ突設されている。
【００１８】
この基板２において、回路基板２１と、放熱基板２２とは、熱伝導性シート（図示していない）を介して結合されていることが好ましい。熱伝導性シートは、例えば、０．１〜１０Ｗ／（ｍ・Ｋ）程度以上の熱伝導率を有し、かつ、絶縁性のものが好ましい。これにより、回路基板２１と放熱基板２２との導通を防止し、発光部２３の間の絶縁性が保持されるとともに、半導体発光素子２３ａから発生する熱を効率的に放熱することができる。熱伝導性シートしては、例えば、シリコーンゴム等を用いることができる。熱伝導性シートを用いる場合、その厚みは放熱性を高める為にできるだけ薄いもの（０.１ｍｍ以下）のものが好ましい。さらに、形状および大きさ等は、照明ユニットの大きさ、形状等を考慮して適宜調整することができるが、回路基板２１と略同じ形状、同じ大きさであることが好ましい。
【００１９】
また、基板２において、回路基板２１と、放熱基板２２とが、一体的に構成されていてもよい。この場合、アルミや銅などの上に絶縁層を介して導電性のパターンが形成された基板である。
【００２０】
発光部２３は、１個または複数個の半導体発光素子２３ａを含むものである。特に、ＲＢＧに対応した光を発光する半導体発光素子を用いることにより、単色の半導体発光素子を一個用いる場合よりも、色再現性を向上させることができる利点がある。半導体発光素子２３ａは、照明するための光を発光することが可能な半導体であれば特に限定されるものではなく、当該分野で使用されているもののいずれをも使用することができる。また、発光部２３は、半導体発光素子チップ自体を用いてもよく、パッケージや被覆部材等により覆われていてもよい。パッケージや被覆部材としては、波長変換部材（例えば、蛍光体等）、拡散剤等を含有する部材を用いてもよい。
【００２１】
発光部２３を構成する半導体発光素子２３ａは、基板２の上方側から観測した際の配光が略ランバート分布配光となることが好ましい。これにより、輝度ムラの少なく、高効率でグレアの少ない照明ユニットとすることができる。さらに発光部２３は、基板２の上面に等間隔で配置されていることが好ましい。これにより、均一な光の分布を実現することができるとともに、半導体発光素子２３ａから発生する熱の分布を均等にすることができる。
【００２２】
リフレクタ部材３は、基板２の両端の前側端縁２４ａ，２４ｂ、および基板２の中央の前側端縁２４ｃに係合する係合爪３１ａ，３１ｂ，３１ｃを、長手方向の両端および中央に設けた側板３２ａ，３２ｂ，３２ｃの前下端に有する。この係合爪３１ａ，３１ｂ，３１ｃと、基板２の前側端縁２４ａ，２４ｂ，２４ｃに係合させることによって、基板２にリフレクタ部材３が取り付けられる。
【００２３】
また、リフレクタ部材３の背面には、図１および図２に示すように、背面３２に長手方向に沿って係合突条部３３Ａ，３３Ｂが突設されている。この係合突条部３３Ａ，３３Ｂは、リフレクタ部材３の背面３２の長手方向の全幅に亘って設けられていてもよいし、図１および図２に示すように、リフレクタ部材３の背面３２を分割し、各分割部にそれぞれ１つまたは複数を突設されてもよい。また、この係合突条部３３Ａ，３３Ｂは、図１および図２に示す後方に向けて突出した断面形状だけでなく、ケース部材４の係合条溝部４１の形状に対応して嵌合する形状であれば、いずれの形状でもよい。この係合突条部３３Ａ，３３Ｂが、ケース部材４の係合条溝部４１に嵌合することによって、リフレクタ部材３とケース部材４とが結合される。
【００２４】
そして、このリフレクタ部材３は、基板２に設けられる発光部２３を覆う内面に、発光部２３に設けられる半導体発光素子２３ａから発光される光を反射する反射部３４を有する。反射部３４は、基板２の上面から後側端縁に亘って、複数の発光部２３の上方を覆う上内面３５、およびリフレクタ部材３の側板３６ａ，３６ｂの内面３ａ，３ｂ、長手方向中央に設けられた中央側板３７の内側面３ｃ，３ｄに形成されている。
【００２５】
リフレクタ部材３の上内面３５に設けられる反射部３４は、基板２の上面に配列された複数の発光部２３のそれぞれの上面および背面に、各発光部２３に対応して複数の反射鏡面が組み合わされたマルチリフレクタを構成していることが好ましい。マルチリフレクタを構成する反射鏡面は、発光部２３の半導体発光素子２３ａから発光される光を、それぞれ異なる光軸を有する反射光として、照明ユニット１の前面から出射させ、広い範囲に亘って均一な照度が得られるように、その曲面形状や光軸方向及び面積、発光部２３に対する配置等が、発光部２３の指向性に対するリフレクタ配置や発光部２３までの距離、照射する領域までの距離および範囲、さらには照射する領域への光入射角度などに応じて適宜決定される。また、マルチリフレクタを構成する反射鏡面は、半導体発光素子２３ａからの光をそれぞれ異なる光軸を有する反射光として取り出すことが可能となるように配置角度が調整されていることが好ましい。これにより、広い範囲において均一な照度を有することが可能な照明ユニットを得ることができる。
【００２６】
また、マルチリフレクタを構成する反射鏡面は、半導体発光素子２３ａ（発光部２３）から離れて配置される反射鏡面ほど大きな面積と長い焦点距離を有していることが好ましい。このようにマルチリフレクタを構成することにより、発光部２３から離れて配置されている反射鏡面によって遠方を集光照射し、発光部２３の近くに配置されている反射鏡面によって近距離を集光照射することが可能となり、より広い範囲において均一な照度を有することが可能な照明ユニットを得ることができる。例えば、このような形態の照明ユニットを、多段型オープンショーケースの最上部手前に取り付け、庫内側を照射すると、上方の棚だけでなく下方の棚まで均一に照射することができる。これにより、多段型オープンショーケースにおいて、庫内の各棚下部分に照明を取り付ける必要がなくなり、大幅にコストを下げることができる。また、半導体発光素子２３ａを用いることで、ランニングコストおよびメンテナンスコストも低減することができる。
【００２７】
マルチリフレクタを構成する反射鏡面は、輝度・色ムラが照射ムラに影響する半導体発光素子２３ａを使用する場合、マルチリフレクタ（反射部）の光反射面に拡散効果のある加工が施されていることが望ましい。
【００２８】
また、マルチリフレクタを構成する反射鏡面を発光部２３からの光を集光する球面または非球面（放物面、楕円面等）とし、これらの配置角度を調整して得られたマルチリフレクタの形状が、発光部２３を焦点とするシリンドリカルミラー形状であることが好ましい。これにより発光部２３から出射された光が、長尺方向においては広範囲に照度・色むらがなく、短尺方向においては所望範囲に均一な照度分布となるよう効率よく集光される照明ユニットが得られる。また、マルチリフレクタを、発光部２３を焦点とするデフォーカスミラー形状としてもよく、これにより、半導体発光素子２３ａの輝度ムラや色ムラを改善することができる利点がある。
【００２９】
さらに、リフレクタ部材３の上内面３５に設けられるマルチリフレクタは、各発光部２３の間に突出して、各発光部２３に対応して設けられるマルチリフレクタを区画するサイドリフレクタ３８を有することが好ましい。このように、複数の発光部２３の間に突出したサイドリフレクタを有することによって、各発光部２３から基板２の長手方向に向かう非利用光を基板２の短手方向である光取り出し方向（照明ユニット１の前面）側へ効率的に出射させることができる。
【００３０】
このリフレクタ部材３は、ＡＢＳ、ポリカーボネート、アクリル等の樹脂成型品に光反射性の高い金属膜を蒸着、メッキしたもの、またはＡｌ等金属プレス品に光反射性の高い金属膜を蒸着、メッキしたもの、もしくは高反射膜形成済みＡｌ板材等をプレス加工したものなどにより、形成することができる。
【００３１】
ケース部材４は、図３に示すように、リフレクタ部材３の係合突条部３３Ａ，３３Ｂと係合する係合条溝部４１を、上端縁に有する。この係合条溝部４１は、ケース部材４の上端縁に突出した上端舌辺４２Ａと、下端舌辺４２Ｂとで形成される。この係合条溝部４１の短手方向の幅（上端舌辺４２Ａと、下端舌辺４２Ｂの間の距離）は、リフレクタ部材３の係合突条部３３Ａ，３３Ｂが嵌合するように形成される。
【００３２】
このケース部材４において、係合条溝部４１は、図１および図３に示すように、ケース部材４の上端縁に突出した上端舌辺４２Ａと下端舌辺４２Ｂとで形成される形状に限定されず、リフレクタ部材３の背面に突設される係合突条部３３Ａ，３３Ｂに応じて、適宜、その形状が決定される。
【００３３】
また、ケース部材４は、係合条溝部４１が設けられた上端縁に連設された底面側に、基板２の下面側を支持する基板支持リブ４３ａ，４３ｂ，４３ｃ，４３ｄ，４３ｅが植設されている。両端の基板支持リブ４３ａ，４３ｅは、ケース部材４の側端を形成する。また、基板支持リブ４３ａ，４３ｂ，４３ｃ，４３ｄ，４３ｅは、その上面４４が、内背面に設けられた支持面４５とともに、面一に形成され、基板２の下面側を支持する。
【００３４】
そして、ケース部材４の長手方向の両端には、ケース部材４の長手方向の外方に向けて拡径する形状（逆テーパ状）を有するケース把持端部４６ａ，４６ｂが外方へ突設されている。照明ユニット１の組立に際して、このケース把持端部４６ａ，４６ｂは、基板２の放熱部材２２の両端に設けられた基板把持端部２２ａ，２２ｂと重ね合わせられ、その重ね合わせ部分を、上下一対のホルダー部材６Ａ１，６Ａ２およびホルダー部材６Ｂ１，６Ｂ２で挟み、重ね合わされた各ホルダー部材６Ａ１，６Ａ２，６Ｂ１，６Ｂ２のテーパ溝６ａ，６ｂの間に嵌合して把持される。重ね合わされたケース把持端部４６ａ，４６ｂと、基板把持端部２２ａ，２２ｂとを把持したホルダー部材６Ａ１，６Ａ２，６Ｂ１，６Ｂ２は、ブラケット７Ａ，７Ｂの嵌合孔８Ａ，８Ｂに嵌合される。このとき、ホルダー部材６Ａ１，６Ａ２，６Ｂ１，６Ｂ２の外周に穿設された回動溝９ａ，９ｂに、ブラケット７Ａ，７Ｂの嵌合孔８Ａ，８Ｂの内側面に設けられた摺動リブ１０ａが摺動可能に嵌合される。これによって、基板２とケース部材４が回転自在に保持される。
【００３５】
カバー部材５Ａ，５Ｂは、図１に示すように、下端辺に、基板２の前側端縁２５に係合する下係合部５１Ａ，５１Ｂと、上端辺に、リフレクタ部材３の前側端縁３９に係合する上係合部５２Ａ，５２Ｂとを備える。そして、下係合部５１Ａ，５１Ｂは、それぞれの両端に、基板２の放熱部材２２に穿設された嵌合口２２ａ，２２ｂ，２２ｃ，２２ｄに、放熱部材２２の下面側から嵌合する嵌合爪５３ａ，５３ｂ，５３ｃ，５３ｄ（図１には、５３ｄのみを図示している）を有する。また、上係合部５２Ａ，５２Ｂは、それぞれの両端に、リフレクタ部材３の前側端縁の端部４０ａ，４０ｂ，４０ｃ，４０ｄに係合する係合爪５５ａ，５５ｂ，５５ｃ，５５ｄを有する。この下係合部５１Ａ，５１Ｂと、上係合部５２Ａ，５２Ｂとを、基板２の前側端縁２５およびリフレクタ部材３の前側端縁３９に係合することによって、基板２とリフレクタ部材３とで構成される前面開口部（光取り出し側）にカバー部材５Ａ，５Ｂが装着される。このとき、下係合部５１Ａ，５１Ｂの嵌合爪５３ａ，５３ｂ，５３ｃ，５３ｄは、基板２の放熱部材２２に穿設された嵌合口２６ａ，２６ｂ，２６ｃ，２６ｄに嵌合され、上係合部５２Ａ，５２Ｂの係合爪５５ａ，５５ｂ，５５ｃ，５５ｄは、リフレクタ部材３の反射部３４の上方に形成された前側端縁の端部４０ａ，４０ｂ，４０ｃ，４０ｄに係合する。これによって、カバー部材５Ａ，５Ｂが、基板２およびリフレクタ部材３とに、緊密に固着される。
【００３６】
このカバー部材５Ａ，５Ｂは、半導体発光素子２３ａからの光を透過することが可能な材料であれば特に限定されず、当該分野で公知の材料によって形成することができる。例えば、軽量で、強度の強いプラスチック、特に加工性および耐熱性を考慮すると、ポリカーボネートやアクリルなどの樹脂材料にて構成されていることが好ましい。ここで、光透過性とは、搭載する半導体発光素子２３ａからの光を１００％透過することが好ましいが、混色、色むら等を考慮して、半透明および不透明（例えば、光透過性が５０％程度以上、乳白色のもの等）のものも含むものとする。
【００３７】
また、このカバー部材５Ａ，５Ｂは、光拡散効果を有するものでもよい。光拡散効果を有するカバー部材５Ａ，５Ｂを用いることにより、輝度・色ムラが照射ムラに影響する半導体発光素子２３ａを使用した場合にも、これらの照射ムラを抑制することが可能な照明ユニットを得ることができる。ここで、光拡散効果とは、半導体発光素子２３ａからの光を拡散し得る部材を意味し、カバー部材自体に光拡散処理が施されていてもよいし、カバー部材５Ａ，５Ｂに光拡散効果を有する他の部材を組み合わせてもよい。例えば、カバー部材５Ａ，５Ｂの正面側および／または背面側（内側）に拡散シート（例えば、半透明および乳白色樹脂製の厚さの薄いシート）を貼り付けてもよいし、カバー部材５Ａ，５Ｂの正面側および／または背面にサンドブラスト、研磨等の粗面処理を施してもよい。さらに、カバー部材５Ａ，５Ｂを形成する材料自体に拡散剤（例えば、酸化シリコン等のフィラー等）を混入してもよい。これにより、各半導体発光素子２３ａからの光を均一なひとつの面光源とすることができる。
【００３８】
次に、本発明の照明ユニット１の組立方法について説明する。
本発明の照明ユニット１の組立に際しては、先ず、図４（ａ）に示すように、回路基板２１と放熱基板２２を結合して構成される基板２に、リフレクタ部材３を取り付ける。回路基板２１と、放熱基板２２とは、熱伝導性シート（図示せず）を介して結合してもよい。
【００３９】
基板２へのリフレクタ部材３の取り付けは、リフレクタ部材３の両端および中央に設けた側板３２ａ，３２ｂ，３２ｃの前下端に有する係合爪３１ａ，３１ｂ，３１ｃを、基板２の両端の前側端縁２４ａ，２４ｂ、および基板２の中央の前側端縁２４ｃに係合させることによって行うことができる。
【００４０】
そして、図４（ｂ）に示すように、リフレクタ部材３を取り付けた基板２を、ケース部材４に取り付ける。このとき、基板２（放熱部材２２）の下面側を、ケース部材４の基板支持リブ４３ａ，４３ｂ，４３ｃ，４３ｄ，４３ｅの上面４４の上に置き、前面側からケース部材４の奥に基板２およびリフレクタ部材３を突き入れる。これによって、基板２（放熱部材２２）の下面側が、ケース部材４の基板支持リブ４３ａ，４３ｂ，４３ｃ，４３ｄ，４３ｅの上面４４および内背面に設けられた支持面４５によって支持される。そして、同時に、リフレクタ部材３の背面に設けられた係合突条部３３Ａ，３３Ｂが、ケース部材３の上端舌辺４２Ａと、下端舌辺４２Ｂの間に形成された係合条溝部４１（図３参照）に嵌合する（図５（ｂ）参照）。この基板支持リブ４３ａ，４３ｂ，４３ｃ，４３ｄ，４３ｅの上面４４によって支持された基板２の下面と、ケース部材４の底面４ｂとの間に、図５（ｂ）に示すように、空気が流通する放熱流路１３が形成される。この放熱流路１３を流通する空気によって、発光部２３の半導体発光素子２３ａの発光時に発生する熱を迅速かつ十分な放熱量で放熱して、半導体発光素子２３ａおよび基板２を冷却することができる。また、半導体発光素子２３ａの発光によって生じる熱によって、照明ユニット１によって照明される物品、あるいは照明ユニット１を取り付ける装置等の温度が上昇することを防止できる。
【００４１】
次に、図４（ｃ）に示すように、上下一対のホルダー部材６Ａ１，６Ａ２およびホルダー部材６Ｂ１，６Ｂ２、ならびにブラケット７Ａ，７Ｂを装着するとともに、カバー部材５Ａ，５Ｂを前面開口部に取り付ける。
【００４２】
ホルダー部材６Ａ１，６Ａ２，６Ｂ１，６Ｂ２およびブラケット７Ａ，７Ｂの取り付けは、以下のようにして行われる。
まず、前記図４（ｂ）に示すとおり、リフレクタ部材３を取り付けた基板２を、ケース部材４に取り付けることによって、ケース部材４の両端のケース把持端部４６ａ，４６ｂと、基板２の放熱部材２２の両端に設けられた基板把持端部２２ａ，２２ｂと重ね合わせられている。この重ね合わせ部分を、上下一対のホルダー部材６Ａ１，６Ａ２およびホルダー部材６Ｂ１，６Ｂ２で挟み、重ね合わされた各ホルダー部材６Ａ１，６Ａ２，６Ｂ１，６Ｂ２のテーパ溝６ａ，６ｂの間にケース把持端部４６ａ，４６ｂと、基板把持端部２２ａ，２２ｂを嵌合して把持する（図５（ａ）参照）。そして、重ね合わされたケース把持端部４６ａ，４６ｂと、基板把持端部２２ａ，２２ｂとを把持したホルダー部材６Ａ１，６Ａ２，６Ｂ１，６Ｂ２を、ブラケット７Ａ，７Ｂの嵌合孔８Ａ，８Ｂに嵌合する。このとき、ホルダー部材６Ａ１，６Ａ２，６Ｂ１，６Ｂ２の外周に穿設された回動溝９ａ，９ｂに、ブラケット７Ａ，７Ｂの嵌合孔８Ａ，８Ｂの内側面に設けられた摺動リブ１０ａが摺動可能に嵌合される。これによって、基板２とケース部材４が回転自在に保持される。
【００４３】
また、カバー部材５Ａ，５Ｂの取り付けは、下係合部５１Ａ，５１Ｂを基板２の前側端縁２５に、上係合部５２Ａ，５２Ｂをリフレクタ部材３の前側端縁３９に、それぞれ係合することによって、基板２とリフレクタ部材３とで構成される前面開口部（光取り出し側）にカバー部材５Ａ，５Ｂが装着される。このとき、嵌合爪５３ａ，５３ｂ，５３ｃ，５３ｄは、基板２の放熱部材２２に穿設された嵌合口２６ａ，２６ｂ，２６ｃ，２６ｄに嵌合され、係合爪５５ａ，５５ｂ，５５ｃ，５５ｄは、リフレクタ部材３の前側端縁の端部４０ａ，４０ｂ，４０ｃ，４０ｄに係合する（図５（ａ）および図５（ｂ）参照）。これによって、カバー部材５Ａ，５Ｂが、基板２およびリフレクタ部材３とに、緊密に固着される。
【００４４】
以上のようにして、図４（ｄ）に示すように、基板２、リフレクタ部材３、ケース部材４およびカバー部材５Ａ，５Ｂが相互に緊密に固着された照明ユニット１が、両端に装着されたブラケット７Ａ，７Ｂによって、回転自在に保持される。そして、ブラケット７Ａ，７Ｂを、照明ユニット１を取り付ける場所、装置の側に設けられた装着部位に装着することによって、照明ユニット１を所要の箇所に取り付けることができる。このとき、ブラケット７Ａ，７Ｂの一端側に一対の装着部１１Ａ１，１１Ａ２および１１Ｂ１，１１Ｂ２を装着側（場所、装置）に設けた取り付け口（図示せず）に差し込み、装着部１１Ａ１，１１Ａ２および１１Ｂ１，１１Ｂ２の係止爪１２を取り付け口の内側に係止させる。この装着部１１Ａ１，１１Ａ２，１Ｂ１，１１Ｂ２の取り付け口への装着において、一対の装着部１１Ａ１，１１Ａ２（１１Ｂ１，１１Ｂ２）の先端部は、取り付け口に挿入される際に、相互に内側へ近づくように曲げられながら、取り付け口の内部に挿入される。そして、取り付け口に装着部１１Ａ１，１１Ａ２（１１Ｂ１，１１Ｂ２）の先端部が挿入されると、装着部１１Ａ１，１１Ａ２（１１Ｂ１，１１Ｂ２）の先端部が相互に外側に拡張し、係止爪１２が取り付け口の内側に係止する。これによって、照明ユニット１を装着側（場所、装置）に確実かつ容易に取り付けることができる。また、ブラケット７Ａ，７Ｂによって、所要の装着部に取り付けられた照明ユニット１は、ブラケット７Ａ，７Ｂに回転可能に嵌合されたホルダー部材６Ａ１，６Ａ２，６Ｂ１，６Ｂ２によって、ホルダー部材６Ａ１，６Ａ２と、ホルダー部材６Ｂ１，６Ｂ２とを結ぶ軸を回転軸として回転自在に保持される。
【００４５】
この照明ユニット１において、リフレクタ部材３の係合爪３１ａ，３１ｂ，３１ｃを、基板２の両端の前側端縁２４ａ，２４ｂ、および基板２の中央の前側端縁２４ｃに係合させることによって、基板２とリフレクタ部材３とを結合することができる。また、ケース部材４の基板支持リブ４３ａ，４３ｂ，４３ｃ，４３ｄ，４３ｅによって基板２の下面側を支持するとともに、リフレクタ部材３の係合突条部３３Ａ，３３Ｂを、ケース部材４の係合条溝部４１に嵌合することによって、基板２と、リフレクタ部材３と、ケース部材４とを、相互に結合することができる。
【００４６】
そして、このように相互に結合された基板２、リフレクタ部材３およびケース部材４を、基板２の基板把持端部２２ａ，２２ｂとケース部材４のケース把持端部４６ａ，４６ｂとを、上下一対のホルダー部材６Ａ１，６Ａ２およびホルダー部材６Ｂ１，６Ｂ２で挟む。さらに、基板把持端部２２ａ，２２ｂとケース把持端部４６ａ，４６ｂとを把持したホルダー部材６Ａ１，６Ａ２，６Ｂ１，６Ｂ２を、ブラケット７Ａ，７Ｂによって回転自在に保持することによって、基板２、リフレクタ部材３およびケース部材４の結合がさらに緊密になる。また、基板２の前側端縁２５にカバー部材５Ａ，５Ｂの下係合部５１Ａ，５１Ｂを、リフレクタ部材３の前側端縁３９にカバー部材５Ａ，５Ｂの上係合部５２Ａ，５２Ｂを係合させることによって、カバー部材５Ａ，５Ｂを介して、基板２とリフレクタ部材３の前面側が緊密に結合される。
【００４７】
そして、これらの基板２、リフレクタ部材３、ケース部材４、カバー部材５Ａ，５Ｂ、ホルダー部材６Ａ１，６Ａ２，６Ｂ１，６Ｂ２およびブラケット７Ａ，７Ｂの結合または取り付け作業は、ネジ等の固定用部材を使用することなく、各所に設けた係合部、係合溝、係合突条当によって、相互の部材を係合・係止することによって、簡便かつ容易に行うことができる。しかも、組立後は、相互の部材の係合・係止によって、各構成部材を相互に結合させることによって、長期間に亘って構成部品の結合強度を維持することができる。
【００４８】
また、本発明の照明ユニットにおいて、ホルダー部材およびブラケットは、前記に説明したホルダー部材６Ａ１，６Ａ２，６Ｂ１，６Ｂ２およびブラケット７Ａ，７Ｂに限定されず、基板２、リフレクタ部材３およびケース部材４を保持して、緊密に結合することができるものであれば、固定用ホルダーとして従来から常用されているものを用いることができる。例えば、基板２、リフレクタ部材３および／またはケース部材４の端部に装着されたネジ式の締結部材等を用いることができる。
【００４９】
この照明ユニット１は、ショーケース、一般照明（室内灯、デスクライト等）、看板照明、壁面照明、歩道灯等に用いられる照明用光源として用いることができる。
図６（ａ）は、照明ユニット１を取り付けたショーケース６を示す斜視図である。
このショーケース６は、上下方向に設けられた複数（４枚）の光透過性の陳列棚６１と、底部に設けられた陳列部６２を有するものである。そして、ショーケース６の上前端部６３の内側に、長手方向に沿って複数個の照明ユニット１が配列される。
【００５０】
このショーケース６において、図６（ｂ）に示すように、上前端部６３の内側に設けられた照明ユニット１のカバー部材５Ａ，５Ｂを通って出射された光Ｒは、陳列棚６１および陳列部６２に配光される。このとき、ブラケット７Ａ，７Ｂに嵌合されたホルダー部材６Ａ１，６Ａ２，６Ｂ１，６Ｂ２を、ブラケット７Ａ，７Ｂの摺動リブ１０ａをホルダー部材６Ａ１，６Ａ２，６Ｂ１，６Ｂ２の回動溝９ａ，９ｂ内に摺動させながら、本体（基板２、リフレクタ部材３、ケース部材４およびカバー部材５Ａ，５Ｂ）を、ホルダー部材６Ａ１，６Ａ２と、ホルダー部材６Ｂ１，６Ｂ２とを結ぶ軸を回転軸として無断階的に回転させることができる。これによって、照明ユニット１から出射される光Ｒの配光方向を調節することができる。
【００５１】
そして、このショーケース６において、上前端部６３の内側の所定箇所に設けられた取り付け口（図示せず）に、ブラケット７Ａ，７Ｂに設けられた装着部１１Ａ１，１１Ａ２および１１Ｂ１，１１Ｂ２を差し込む。そして、取り付け口に装着部１１Ａ１，１１Ａ２（１Ｂ１，１１Ｂ２）の先端部が挿入されると、装着部１１Ａ１，１１Ａ２（１１Ｂ１，１１Ｂ２）の先端部が相互に外側に拡張し、係止爪１２が取り付け口の内側に係止する。これによって、照明ユニット１を装着側（場所、装置）に確実かつ容易に取り付けることができる。
【００５２】
また、照明ユニット１を取り付けたショーケース６は、半導体発光素子２３ａを光源とするため、蛍光灯を光源とするものに比べて寿命が長い、エネルギ効率が高いため低消費電力である、固体素子であるため取り扱いが容易かつ破損し難い、水銀等の環境影響物質を含まないなどのメリットを十分に生かして、照明用ユニットの交換期間の長期化、取り扱いの容易さ等によるメンテナンスコスト、ランニングコストの低減を得ることができる。
【図面の簡単な説明】
【００５３】
【図１】本発明の照明ユニットの構成を示す分解斜視図である。
【図２】リフレクタ部材の背面側を示す斜視図である。
【図３】ケース部材を示す斜視図である。
【図４】（ａ）〜（ｄ）は、本発明の照明ユニットの組立工程を説明する図である。
【図５】（ａ）は、本発明の照明ユニットの一部を示す斜視図、（ｂ）は、本発明の照明ユニットの組立状態を説明する模式断面図である。
【図６】（ａ）は、本発明の照明ユニットを取り付けたショーケースを示す斜視図、（ｂ）は、そのショーケースにおける照明光の配光状態を示す模式図である。
【符号の説明】
【００５４】
１      照明ユニット
２      基板
２１      回路基板
２２      放熱基板
２２ａ，２２ｂ      基板把持端部
２３      発光部
２３ａ    半導体発光素子
２４ａ，２４ｂ，２４ｃ      前側端縁
３      リフレクタ部材
３ａ，３ｂ      側板の内面
３１ａ，３１ｂ，３１ｃ      係合爪
３２      背面
３２ａ，３２ｂ，３２ｃ      側板
３３Ａ，３３Ｂ      係合突条部
３４      反射部
３５      上内面
３６ａ，３６ｂ      側板
３７      中央側板
３ｃ，３ｄ      中央側板の内側面
３８      サイドリフレクタ
４      ケース部材
４１      係合条溝部
４２Ａ    上端舌辺
４２Ｂ    下端舌辺
４３ａ，４３ｂ，４３ｃ，４３ｄ，４３ｅ      基板支持リブ
４４      上面
４５      支持面
４６ａ，４６ｂ      ケース把持端部
５Ａ，５Ｂ      カバー部材
５１Ａ，５１Ｂ    下係合部
５２Ａ，５２Ｂ    上係合部
５３ａ，５３ｂ，５３ｃ，５３ｄ    嵌合爪
５５ａ，５５ｂ，５５ｃ，５５ｄ    係合爪
６Ａ１，６Ａ２，６Ｂ１，６Ｂ２      ホルダー部材
６ａ，６ｂ    テーパ溝
９ａ，９ｂ    回動溝
７Ａ，７Ｂ      ブラケット
８Ａ，８Ｂ    嵌合孔
１０ａ    摺動リブ
【図１】
0005125497.tif 000002
【図２】
0005125497.tif 000003
【図３】
0005125497.tif 000004
【図４】
0005125497.tif 000005
【図５】
0005125497.tif 000006
【図６】
0005125497.tif 000007